(57)【要約】      （修正有）【課題】複数の化粧料収納皿を備え、携帯性及び操作性に優れた化粧料用容器を提供する。【解決手段】複数の化粧料収納皿のうち、第１壁部１２に隣接して配置される第１化粧料収納皿２０Ａは、第２壁部１４側の面に、該第１化粧料収納皿の回動方向に沿って延びる円弧状溝２８が形成されており、第１化粧料収納皿よりも第２壁部側に配置される一以上の化粧料収納皿２０Ｂ、２０Ｃ、２０Ｄは、第２壁部側の面に、該化粧料収納皿の回動方向に沿って延びる円弧状溝２８が形成されており、かつ、第１壁部側の面に、該第１壁部側に隣接して配置される他の化粧料収納皿の円弧状溝に係合可能な係合突起２９が設けられており、第２壁部は、第１壁部側に隣接して配置される化粧料収納皿の円弧状溝に係合可能な係合突起１５を有している。【選択図】図３
2020182650.tif 000002
【特許請求の範囲】
【請求項１】
互いに対向して配置される第１壁部及び第２壁部と、該第１壁部及び該第２壁部間に亘って延びる支持軸とを有する容器本体と、
前記支持軸の延在方向に沿って互いに重なるよう配列された複数の化粧料収納皿と
を備え、
前記容器本体は、前記第１壁部及び前記第２壁部間に、前記複数の化粧料収納皿を出し入れ自在に収納可能に構成されており、
前記複数の化粧料収納皿は、前記容器本体内に収納された収納位置と、該容器本体から引き出された展開位置との間において回動可能となるよう、前記支持軸に軸支されており、
前記複数の化粧料収納皿のうち、前記第１壁部に隣接して配置される第１化粧料収納皿は、前記第２壁部側の面に、該第１化粧料収納皿の回動方向に沿って延びる円弧状溝が形成されており、
前記第１化粧料収納皿よりも前記第２壁部側に配置される一以上の前記化粧料収納皿は、前記第２壁部側の面に、該化粧料収納皿の回動方向に沿って延びる円弧状溝が形成されており、かつ、前記第１壁部側の面に、該第１壁部側に隣接して配置される他の化粧料収納皿の前記円弧状溝に係合可能な係合突起が設けられており、
前記第２壁部は、前記第１壁部側に隣接して配置される前記化粧料収納皿の前記円弧状溝に係合可能な係合突起を有しており、
前記円弧状溝は、それぞれ、
該円弧状溝が形成された前記化粧料収納皿を前記収納位置から前記展開位置に向かう展開方向に回動させる際に、前記第２壁部側に隣接して配置された他の化粧料収納皿又は前記第２壁部の前記係合突起が当接する展開時当接部と、
該円弧状溝が形成された前記化粧料収納皿を前記展開位置から前記収納位置に向かう収納方向に回動させる際に、前記第２壁部側に隣接して配置された他の化粧料収納皿又は前記第２壁部の前記係合突起が当接する収納時当接部と
を有する
化粧料用容器。
【請求項２】
前記第１化粧料収納皿が前記展開位置に位置する状態において、該第１化粧料収納皿の前記収納方向への回動に対して抵抗を与える展開時ロック機構を更に備える
請求項１に記載の化粧料用容器。
【請求項３】
前記展開時ロック機構は、
前記第１壁部及び前記第１化粧料収納皿のいずれか一方に設けられた嵌合突起と、
前記第１壁部及び前記第１化粧料収納皿のいずれか他方に設けられた嵌合凹部と
を備え、
前記嵌合凹部は、前記第１化粧料収納皿が前記展開位置に位置する状態において、前記嵌合突起が嵌合する位置に形成されている
請求項２に記載の化粧料用容器。
【請求項４】
前記第１化粧料収納皿が前記収納位置に位置する状態において、該第１化粧料収納皿の前記展開方向への回動に対して抵抗を与える収納時ロック機構を更に備える
請求項１〜３いずれか１項に記載の化粧料用容器。
【請求項５】
前記容器本体は、長手方向を有する長尺状に形成されており、
前記支持軸は、前記容器本体の長手方向の一方側に配された第１支持軸と、該容器本体の長手方向の他方側に配された第２支持軸とを有し、
前記複数の化粧料収納皿は、前記第１支持軸及び前記第２支持軸の双方に設けられている
請求項１〜４いずれか１項に記載の化粧料用容器。
【請求項６】
化粧料塗布具を着脱自在に保持可能な塗布具保持部材を更に備え、
前記塗布具保持部材は、前記化粧料塗布具が前記容器本体内に収納された収納位置と、該容器本体から前記化粧料塗布具が引き出された展開位置との間において回動可能となるよう、前記支持軸に軸支されている
請求項１〜４いずれか１項に記載の化粧料用容器。
【請求項７】
前記第１壁部は、化粧料塗布具を収納可能な塗布具収納凹部と、該塗布具収納凹部を覆う開閉可能な蓋部材とを備える
請求項１〜６いずれか１項に記載の化粧料用容器。
【発明の詳細な説明】
【技術分野】
【０００１】
本発明は、化粧料用容器に関する。
【背景技術】
【０００２】
アイシャドウ、コンシーラ、口紅、アイブロウ、アイライナー等のメイクアップ化粧料の多くは、携帯性の観点から、粉体状化粧料等が充填固化されてコンパクト容器に収容されている。
【０００３】
このようなコンパクト容器として、特許文献１には、それぞれ化粧料が設けられた複数の化粧料収納皿を枢着部を介して着脱自在に枢着して積層させ、各化粧料収納皿を独立して回動させて引き出し可能とした化粧料用容器が開示されている。また、特許文献２には、それぞれ化粧料が設けられた複数のカード型重ね板を積層させ、これら複数のカード型重ね板を互いに連動させて扇状に展開可能とした化粧料用容器が開示されている。
【先行技術文献】
【特許文献】
【０００４】
【特許文献１】実開昭６２−１０９０１０号公報
【特許文献２】実開平０２−２９６１０号公報
【発明の概要】
【発明が解決しようとする課題】
【０００５】
特許文献１の化粧料用容器は、各化粧料収納皿が独立して回動するものであるため、全ての化粧料収納皿を引き出して使用に供するためには、化粧料収納皿を１つずつ位相をずらしながら引き出す必要がある。しかしながら、このような操作は手間が掛かると共に、２以上の化粧料収納皿が重なり合ったまま引き出される等の煩わしさを伴うものであり、この点は、携帯性を向上させるために化粧料用容器を小型化するほど顕著となる。このため、特許文献１の化粧料用容器には、操作性の観点において改善の余地がある。
【０００６】
これに対し、特許文献２の化粧料用容器は、複数のカード型重ね板を互いに連動させて扇状に展開可能であるため、特許文献１の化粧料用容器よりも、少ない操作で全ての化粧料収納皿を展開させることが可能である。しかしながら、特許文献２の化粧料用容器は、複数のカード型重ね板を互いにスライドさせ、扇状に広げたトランプのように展開させるものであるため、展開状態におけるサイズが大きく、片手で把持することが容易ではない。また、各カード型重ね板の背面に手を添えた状態で把持する必要があることから、各カード型重ね板の背面に付着した化粧料が手に付着するおそれがある。このため、特許文献２の化粧料用容器においても、操作性の観点において改善の余地がある。
【０００７】
本発明は、携帯性及び操作性に優れた化粧料用容器に関する。
【課題を解決するための手段】
【０００８】
本発明は、互いに対向して配置される第１壁部及び第２壁部と、該第１壁部及び該第２壁部間に亘って延びる支持軸とを有する容器本体と、前記支持軸の延在方向に沿って互いに重なるよう配列された複数の化粧料収納皿とを備え、前記容器本体は、前記第１壁部及び前記第２壁部間に、前記複数の化粧料収納皿を出し入れ自在に収納可能に構成されており、前記複数の化粧料収納皿は、前記容器本体内に収納された収納位置と、該容器本体から引き出された展開位置との間において回動可能となるよう、前記支持軸に軸支されており、前記複数の化粧料収納皿のうち、前記第１壁部に隣接して配置される第１化粧料収納皿は、前記第２壁部側の面に、該第１化粧料収納皿の回動方向に沿って延びる円弧状溝が形成されており、前記第１化粧料収納皿よりも前記第２壁部側に配置される一以上の前記化粧料収納皿は、前記第２壁部側の面に、該化粧料収納皿の回動方向に沿って延びる円弧状溝が形成されており、かつ、前記第１壁部側の面に、該第１壁部側に隣接して配置される他の化粧料収納皿の前記円弧状溝に係合可能な係合突起が設けられており、前記第２壁部は、前記第１壁部側に隣接して配置される前記化粧料収納皿の前記円弧状溝に係合可能な係合突起を有しており、前記円弧状溝は、それぞれ、該円弧状溝が形成された前記化粧料収納皿を前記収納位置から前記展開位置に向かう展開方向に回動させる際に、前記第２壁部側に隣接して配置された他の化粧料収納皿又は前記第２壁部の前記係合突起が当接する展開時当接部と、該円弧状溝が形成された前記化粧料収納皿を前記展開位置から前記収納位置に向かう収納方向に回動させる際に、前記第２壁部側に隣接して配置された他の化粧料収納皿又は前記第２壁部の前記係合突起が当接する収納時当接部とを有する化粧料用容器に関する。
【発明の効果】
【０００９】
本発明に係る化粧料用容器は、携帯性及び操作性に優れている。
【図面の簡単な説明】
【００１０】
【図１】第１実施形態に係る化粧料用容器の展開状態を示す図である。
【図２】第１実施形態に係る化粧料用容器の収納状態を示す図である。
【図３】第１実施形態に係る化粧料用容器の分解図である。
【図４】第１実施形態に係る化粧料用容器の第１化粧料収納皿を示す図である。
【図５】第１実施形態に係る化粧料用容器の第２〜第４化粧料収納皿を示す図である。
【図６】図６（ａ）は、全ての化粧料収納皿が同位相の状態を示す図であり、図６（ｂ）は、図６（ａ）の状態から第１化粧料収納皿を展開方向に回動させた状態を示す図であり、図６（ｃ）は、図６（ｂ）の状態から第１化粧料収納皿を展開方向に更に回動させ、これに追従して第２化粧料収納皿を展開方向に回動させた状態を示す図であり、図６（ｄ）は、図６（ｃ）の状態から第１化粧料収納皿を展開方向に更に回動させ、第２化粧料収納皿に追従して第３化粧料収納皿を展開方向に回動させた状態を示す図である。
【図７】第２実施形態に係る化粧料用容器の展開状態を示す図である。
【図８】第３実施形態に係る化粧料用容器の展開状態を示す図である。
【発明を実施するための形態】
【００１１】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１２】
［第１実施形態］
まず、本発明の第１実施形態に係る化粧料用容器１について、図１〜図６を用いて説明する。第１実施形態に係る化粧料用容器１は、図１に示すように、化粧料２を収納する複数の化粧料収納皿２０Ａ〜２０Ｄと、複数の化粧料収納皿２０Ａ〜２０Ｄを支持する容器本体１０とを備えている。本実施形態では、化粧料用容器１は、容器本体１０の後述する第１壁部１２の中心点と後述する第２壁部１４の中心点とを通る軸を中心として１８０°回転させた際に同じ形状となる２回対称性を有している。
【００１３】
第１実施形態に係る化粧料用容器１は、図２に示すように、複数の化粧料収納皿２０Ａ〜２０Ｄを容器本体１０に収納させることで、化粧用ポーチやペンケース等に入れて持ち運ぶことを可能とした携帯型のコンパクトケースである。以下、第１実施形態に係る化粧料用容器１の詳細な構成について、詳述する。
【００１４】
容器本体１０は、図３に示すように、互いに対向して配置される第１壁部１２及び第２壁部１４と、第１壁部１２及び第２壁部１４間に亘って延びる支持軸１６Ａ，１６Ｂとを備えている。また、容器本体１０は、更に側壁１７Ａ，１７Ｂ及び仕切り壁１８を備えている。
【００１５】
なお、以下の説明では、第２壁部１４から第１壁部１２に向かう方向を「上方」とし、第１壁部１２から第２壁部１４に向かう方向を「下方」とし、容器本体１０の上下方向（図１中のＺ方向）及び長手方向（図１中のＸ方向）の双方と直交する方向（図１中のＹ方向）を「前後方向」として説明する。ただし、ここでいう上下方向及び前後方向は、説明の便宜上定めた方向に過ぎず、実際の使用状況における上下方向及び前後方向とは限らない。第１実施形態に係る化粧料用容器１は、様々な向きで使用することが可能である。
【００１６】
容器本体１０は、図２に示すように、使用者が把持しやすいよう、細長いペン型の全体形状を有しており、第１壁部１２と第２壁部１４との間に、複数の化粧料収納皿２０Ａ〜２０Ｄを出し入れ自在に収納可能な収納空間（内部空間）を有している。本明細書において、「ペン型」とは、長手方向を有する長尺状（棒状）であることを意味し、より限定的には、容器本体１０の平面視及び正面視の双方において、短軸と長軸を有する形状を意味している。
【００１７】
この短軸と長軸の比（アスペクト比）は、容器本体１０の平面視において、１：２以上であることが好ましく、１：５以上であることが更に好ましく、また、容器本体１０の正面視において、１：４以上であることが好ましく、１：５以上であることが更に好ましい。
【００１８】
また、容器本体１０は、使用者の手にフィットしやすいよう、全体的に丸みを帯びた形状、具体的には、容器本体１０は、長手方向の中央から長手方向の両端部に向けて湾曲しながら先細りとなる形状を有している。本実施形態では、容器本体１０は、第１壁部１２の中心点と第２壁部１４の中心点とを通る軸を中心として１８０°回転させた際に同じ形状となる２回対称性を有している。
【００１９】
容器本体１０の長手方向の長さは、例えば５０ｃｍ以上１６０ｃｍ以下が好ましく、８０ｃｍ以上１３０ｃｍ以下が更に好ましい。なお、容器本体１０の形状及び大きさは、図示の例に限定されず、任意に設定することが可能である。
【００２０】
第１壁部１２及び第２壁部１４は、図３に示すように、それぞれ、平面視において短軸と長軸を有する横長の平板状に形成された樹脂製の板材からなり、長手方向の中央から両端部に向かって湾曲しながら先細りとなる形状を有している。なお、板材は、樹脂製に限られず、金属、紙、木、陶器等で形成されていてもよい。
【００２１】
第１壁部１２の下面には、図３に示すように、後述する第１化粧料収納皿２０Ａに向けて突出する嵌合突起１３が、第１支持軸１６Ａの近傍及び第２支持軸１６Ｂの近傍にそれぞれ設けられている。嵌合突起１３は、半円状に隆起した凸状体であり、第１化粧料収納皿２０Ａの後述する嵌合凹部２５に嵌合可能に構成されている。また、第１壁部１２の下面には、後述する第１化粧料収納皿２０Ａの磁石２７と磁力により接着可能な磁石（図示せず）が設けられている。
【００２２】
第２壁部１４の上面には、図３に示すように、第１壁部１２側に隣接して配置される化粧料収納皿（第１実施形態では、後述する第４化粧料収納皿２０Ｄ）に向けて突出する係合突起１５が、第１支持軸１６Ａの近傍及び第２支持軸１６Ｂの近傍にそれぞれ設けられている。第１支持軸１６Ａの近傍に設けられた係合突起１５は、該第１支持軸１６Ａに軸支された第４化粧料収納皿２０Ｄの後述する化粧料収容部２４よりも第１支持軸１６Ａ側に配置されており、第２支持軸１６Ｂの近傍に設けられた係合突起１５は、該第２支持軸１６Ｂに軸支された第４化粧料収納皿２０Ｄの後述する化粧料収容部２４よりも第２支持軸１６Ｂ側に配置されている。係合突起１５は、略円柱状に隆起した凸状体であり、第４化粧料収納皿２０Ｄの後述する円弧状溝２８に係合可能に構成されている。
【００２３】
支持軸１６Ａ，１６Ｂは、図３に示すように、容器本体１０の長手方向の一方側に配された第１支持軸１６Ａと、容器本体１０の長手方向の他方側に配された第２支持軸１６Ｂとを有している。第１支持軸１６Ａ及び第２支持軸１６Ｂは、それぞれ、化粧料収納皿２０Ａ〜２０Ｄの後述する軸孔２２を挿通可能な径を有し、かつ、第１壁部１２から第２壁部１４に至る長さを有する円筒状に形成されている。なお、図３では、第１支持軸１６Ａ及び第２支持軸１６Ｂが第２壁部１４側に固着された構成を例示しているが、これに限定されず、第１壁部１２側に固着されても良いし、第１壁部１２及び第２壁部１４の双方に固着されても良い。
【００２４】
側壁１７Ａ，１７Ｂは、図３に示すように、第１支持軸１６Ａ側の周面を形成する第１側壁１７Ａと、第２支持軸１６Ｂ側の周面を形成する第２側壁１７Ｂとを備えている。具体的には、第１側壁１７Ａは、容器本体１０の周面のうち、第１支持軸１６Ａに軸支された化粧料収納皿２０Ａ〜２０Ｄの展開方向後方側の周面を形成するよう構成されており、第２側壁１７Ｂは、容器本体１０の周面のうち、第２支持軸１６Ｂに軸支された化粧料収納皿２０Ａ〜２０Ｄの展開方向後方側の周面を形成するよう構成されている。第１実施形態においては、後述するように、第１支持軸１６Ａに軸支された化粧料収納皿２０Ａ〜２０Ｄは容器本体１０の前方側（図３の紙面手前側）に展開し、第２支持軸１６Ｂに軸支された化粧料収納皿２０Ａ〜２０Ｄは容器本体１０の後方側（図３の紙面奥側）に展開するため、第１側壁１７Ａは、容器本体１０の後方側（図３の紙面奥側）の周面を形成し、第２側壁１７Ｂは、容器本体１０の前方側（図３の紙面手前側）の周面を形成する。
【００２５】
第１側壁１７Ａは、容器本体１０の長手方向の両端部のうち、第１支持軸１６Ａが設けられた側の端部から長手方向の中央に至る長さを有する湾曲板状に形成されており、第２側壁１７Ｂは、第２支持軸１６Ｂが設けられた側の端部から長手方向の中央に至る長さを有する湾曲板状に形成されている。なお、図３では、第１側壁１７Ａ及び第２側壁１７Ｂが第１壁部１２側に固着された構成を例示しているが、これに限定されず、第２壁部１４側に固着されても良いし、第１壁部１２及び第２壁部１４の双方に固着されても良い。
【００２６】
仕切り壁１８は、図３に示すように、容器本体１０の長手方向の中央において、第１側壁１７Ａの端部から第２側壁１７Ｂの端部に亘って延びる平板状に形成されている。仕切り壁１８は、容器本体１０の上述した収納空間（内部空間）を、第１支持軸１６Ａに軸支された化粧料収納皿２０Ａ〜２０Ｄを収納するための第１収納空間と、第２支持軸１６Ｂに軸支された化粧料収納皿２０Ａ〜２０Ｄを収納するための第２収納空間とに区切ることが可能に構成されている。なお、図３では、仕切り壁１８が第１壁部１２側に固着された構成を例示しているが、これに限定されず、第２壁部１４側に固着されても良いし、第１壁部１２及び第２壁部１４の双方に固着されても良い。
【００２７】
容器本体１０は、第１側壁１７Ａと仕切り壁１８とによって、第１壁部１２及び第２壁部１４間に、第１支持軸１６Ａに軸支された化粧料収納皿２０Ａ〜２０Ｄを収納可能な第１収納空間が形成され、第２側壁１７Ｂと仕切り壁１８とによって、第１壁部１２及び第２壁部１４間に、第２支持軸１６Ｂに軸支された化粧料収納皿２０Ａ〜２０Ｄを収納可能な第２収納空間が形成されている。また、容器本体１０は、第１側壁１７Ａの開放側の端部（容器本体１０の長手方向の一端側の端部）と、第２側壁１７Ｂの仕切り壁１８側の端部との間に、第１収納空間に連通する側方開口が形成され、第２側壁１７Ｂの開放側の端部（容器本体１０の長手方向の他端側の端部）と、第１側壁１７Ａの仕切り壁１８側の端部との間に、第２収納空間に連通する側方開口（図示せず）が形成されている。
【００２８】
化粧料収納皿２０Ａ〜２０Ｄは、図１〜図３に示すように、支持軸１６Ａ，１６Ｂの延在方向（すなわち、容器本体１０の上下方向）に沿って互いに重なるよう複数（第1実施形態では４枚）配列されている。該４枚の化粧料収納皿２０Ａ〜２０Ｄは、第１支持軸１６Ａと、第２支持軸１６Ｂの双方に設けられている。すなわち、第１実施形態に係る化粧料用容器１は、４枚の化粧料収納皿２０Ａ〜２０Ｄを２セット有している。なお、本明細書においては、説明の便宜上、最も上層（第１壁部１２側）に配置された化粧料収納皿２０Ａを第１化粧料収納皿２０Ａといい、以下第２壁部１４に向けて順に、第２化粧料収納皿２０Ｂ、第３化粧料収納皿２０Ｃといい、最も下層（第２壁部１４側）に配置された化粧料収納皿２０Ｄを第４化粧料収納皿２０Ｄという。
【００２９】
第１〜第４化粧料収納皿２０Ａ〜２０Ｄは、図３に示すように、それぞれ、平面視において水滴状に形成された樹脂製の板材からなり、容器本体１０の第１又は第２収納空間内に収納可能な大きさを有している。なお、本明細書において、水滴状とは、横長の円（楕円又は楕円に近い形状）の長手方向の一方側が先細りとなった形状をいうものとする。また、第１〜第４化粧料収納皿２０Ａ〜２０Ｄの形状及び大きさは、図示の例に限定されず、任意に設定することが可能である。
【００３０】
第１〜第４化粧料収納皿２０Ａ〜２０Ｄは、図３〜図５に示すように、先細りとなった側の端部に、上面から下面に亘って貫通する軸孔２２が形成されている。軸孔２２は、支持軸１６Ａ，１６Ｂが挿通可能な径を有している。第１〜第４化粧料収納皿２０Ａ〜２０Ｄは、該軸孔２２に支持軸１６Ａ，１６Ｂが挿通されることにより、容器本体１０の第１又は第２収納空間内に収納された収納位置（図２参照）と、該収納空間から容器本体１０の側方開口を介して引き出された展開位置（図１参照）との間において水平方向に回動可能となるよう、支持軸１６Ａ，１６Ｂに軸支されている。なお、以下の説明では、各化粧料収納皿２０Ａ〜２０Ｄが収納位置から展開位置に向けて回動する方向を「展開方向」といい、これとは逆の方向、すなわち、各化粧料収納皿２０Ａ〜２０Ｄが展開位置から収納位置に向けて回動する方向を「収納方向」という。
【００３１】
また、第１〜第４化粧料収納皿２０Ａ〜２０Ｄは、図３〜図５に示すように、上面に、化粧料２が収容される化粧料収容部２４が形成されている。化粧料収容部２４は、各化粧料収納皿２０Ａ〜２０Ｄが展開位置（図１参照）に位置する状態において、容器本体１０から露出する領域に設けられている。図示の例では、化粧料収容部２４は、上面全体の略３分の２の領域を占める大きさを有する横長の円形状に形成されているが、これに限定されず、化粧料収容部２４の形状及び大きさは任意に設定することが可能である。
【００３２】
各化粧料収納皿２０Ａ〜２０Ｄに収容される化粧料２は、特に限定されるものではないが、携帯性の観点から、粉体化粧料、ペースト状化粧料又は油性固形化粧料であることが好ましい。具体例としては、アイシャドウ、コンシーラ、口紅、アイブロウ、アイライナー、ファンデーション、チークカラー等のメイクアップ化粧料が挙げられる。第１実施形態に係る化粧料用容器１においては、第１支持軸１６Ａに軸支される第１〜第４化粧料収納皿２０Ａ〜２０Ｄに、互いに異なる色（計４色）のアイシャドウが収容され、第２支持軸１６Ｂに軸支される第１〜第４化粧料収納皿２０Ａ〜２０Ｄに、コンシーラ、口紅、アイブロウ、アイライナーが収容されているが、これに限定されず、収容する化粧料の種類及び配置は任意に設定することができる。また、化粧料を充填する方法としては、例えば、粉体化粧料又はペースト状化粧料では、加圧成型法（プレス成型法、超音波成型法）、湿式成形法（スラリー法、バック充填法）等を挙げることができ、油性固形化粧料では流し込み成形法等を挙げることができるが、これらに限定されるものではない。
【００３３】
最も上層に配置された第１化粧料収納皿２０Ａは、図４（ａ）に示すように、上面（第１壁部１２側の面）に、嵌合凹部２５及び案内溝２６が形成されると共に磁石２７が設けられており、図４（ｂ）に示すように、下面（第２壁部１４側の面）に、円弧状溝２８が形成されている。また、第１化粧料収納皿２０Ａは、展開方向前方側の側縁に、第１化粧料収納皿２０Ａを回動させる際に使用者が把持する摘み部２３が設けられている。なお、摘み部２３の形状及び大きさは、図示の例に限定されず、任意に設定可能であり、また、使用者が指や爪等を入れることが可能な切り欠きや凹部等の形態としても良い。
【００３４】
嵌合凹部２５は、第１壁部１２の下面に設けられた嵌合突起１３が嵌合可能な半円状の窪みからなり、第１化粧料収納皿２０Ａが展開位置（図１参照）に位置する状態において、嵌合突起１３が嵌合する位置に形成されている。案内溝２６は、嵌合凹部２５の深さよりも浅い溝であり、第１化粧料収納皿２０Ａの回動方向に沿う円弧状に形成されている。該案内溝２６は、第１化粧料収納皿２０Ａの展開方向前方側の側縁から嵌合突起１３に亘って延びており、これにより、第１壁部１２の嵌合突起１３を嵌合凹部２５に案内するガイドとして機能するよう構成されている。
【００３５】
これら第１壁部１２の嵌合突起１３と、第１化粧料収納皿２０Ａの嵌合凹部２５とは、互いに協働して、第１化粧料収納皿２０Ａが展開位置（図１参照）に位置する状態において、該第１化粧料収納皿２０Ａの収納方向への回動に対して抵抗を与える展開時ロック機構として機能するよう構成されている。このような展開時ロック機構は、嵌合突起１３及び嵌合凹部２５からなる凹凸嵌合構造に限定されるものではなく、例えば一対の磁石等の任意の構造を採用可能である。
【００３６】
磁石２７は、第１化粧料収納皿２０Ａの展開方向前方側の側縁部に設けられており、第１化粧料収納皿２０Ａが収納位置（図２参照）に位置する状態において、第１壁部１２の下面に設けられた磁石（図示せず）と磁力により接着可能に構成されている。
【００３７】
これら第１壁部１２の磁石と、第１化粧料収納皿２０Ａの磁石２７とは、互いに協働して、第１化粧料収納皿２０Ａが収納位置（図２参照）に位置する状態において、該第１化粧料収納皿２０Ａの展開方向への回動に対して抵抗を与える収納時ロック機構として機能するよう構成されている。このような収納時ロック機構は、一対の磁石に限定されるものではなく、例えば嵌合突起及び嵌合凹部からなる凹凸嵌合構造や、がま口の口金構造や、フック構造等の任意の構造を採用可能である。
【００３８】
円弧状溝２８は、図４（ｂ）に示すように、第１化粧料収納皿２０Ａの回動方向に沿って延びる円弧状の溝であり、第２壁部１４側に隣接して配置される化粧料収納皿（第２化粧料収納皿２０Ｂ）の後述する係合突起２９が挿入可能な溝幅を有している。
【００３９】
円弧状溝２８の収納方向側の壁部２８ａは、第１化粧料収納皿２０Ａを収納位置（図２参照）から展開位置（図１参照）に向けて展開方向に回動させる際に、第２壁部１４側に隣接して配置された他の化粧料収納皿（第２化粧料収納皿２０Ｂ）の係合突起２９が当接する展開時当接部として機能する。一方、円弧状溝２８の展開方向側の壁部２８ｂは、第１化粧料収納皿２０Ａを展開位置（図１参照）から収納位置（図２参照）に向けて収納方向に回動させる際に、第２壁部１４側に隣接して配置された他の化粧料収納皿（第２化粧料収納皿２０Ｂ）の係合突起２９が当接する収納時当接部として機能する。
【００４０】
円弧状溝２８の延在方向の長さは、展開位置（図１参照）における、第２壁部１４側に隣接して配置される化粧料収納皿（第２化粧料収納皿２０Ｂ）との位相差を規定するものであり、任意に設定することが可能である。例えば、全ての化粧料収納皿２０Ａ〜２０Ｄを均等に開く構成とする場合には、図４（ｂ）に示すように、円弧状溝２８の収納方向側の壁部２８ａ（展開時当接部）と展開方向側の壁部２８ｂ（収納時当接部）との支持軸１６Ａ，１６Ｂを中心とした角度αが、回動角度が最も大きい化粧料収納皿（第１実施形態では第１化粧料収納皿２０Ａ）の収納位置から展開位置までの回動角度を化粧料収納皿の数で除した角度となるよう設定される。このような角度αは、例えば１０°以上１００°以下であることが好ましく、２０°以上９０°以下であることが更に好ましい。
【００４１】
第１化粧料収納皿２０Ａよりも下層側に配置された第２化粧料収納皿２０Ｂ〜第４化粧料収納皿２０Ｄは、図５（ａ）に示すように、上面（第１壁部１２側の面）に、係合突起２９が設けられており、図５（ｂ）に示すように、下面（第２壁部１４側の面）に、第１化粧料収納皿２０Ａの円弧状溝２８と同様の円弧状溝２８が形成されている。
【００４２】
係合突起２９は、円柱状に隆起した凸状体か係合突起２９らなり、第１壁部１２側に隣接して配置される化粧料収納皿の円弧状溝２８に係合可能に構成されている。具体的には、係合突起２９は、上層側（第１壁部１２側）の化粧料収納皿が展開方向に回動された際に、該上層側の化粧料収納皿の円弧状溝２８内を相対移動して該円弧状溝２８の収納方向側の壁部２８ａ（展開時当接部）と係合し、上層側（第１壁部１２側）の化粧料収納皿が収納方向に回動された際に、該上層側の化粧料収納皿の円弧状溝２８内を相対移動して該円弧状溝２８の展開方向側の壁部２８ｂ（収納時当接部）と係合するよう構成されている。
【００４３】
第２化粧料収納皿２０Ｂの円弧状溝２８の延在方向の長さは、展開位置（図１参照）における第３化粧料収納皿２０Ｃとの位相差を規定するものであり、第３化粧料収納皿２０Ｃの円弧状溝２８の延在方向の長さは、展開位置における第４化粧料収納皿２０Ｄとの位相差を規定するものであり、第４化粧料収納皿２０Ｄの円弧状溝２８の延在方向の長さは、展開位置における第２壁部１４との位相差を規定するものである。全ての化粧料収納皿２０Ａ〜２０Ｄを均等に開く構成とする場合には、これら第２化粧料収納皿２０Ｂ〜第４化粧料収納皿２０Ｄの各円弧状溝２８は、第１化粧料収納皿２０Ａの円弧状溝２８と同形同大に形成される。
【００４４】
以上の構成を有する化粧料用容器１は、図１〜図３に示すように、化粧料２が収容された第１〜第４化粧料収納皿２０Ａ〜２０Ｄを第２壁部１４の第１支持軸１６Ａと第２支持軸１６Ｂとの双方に取り付けた後、第２壁部１４に第１壁部１２を取り付けることにより、組み立てられる。
【００４５】
［化粧料用容器の使用方法］
次に、第１実施形態に係る化粧料用容器１の使用方法について、図１、図２及び図６を用いて説明する。まず、第１実施形態に係る化粧料用容器１は、図２に示すように、第１支持軸１６Ａに取り付けられた第１〜第４化粧料収納皿２０Ａ〜２０Ｄと第２支持軸１６Ｂに取り付けられた第１〜第４化粧料収納皿２０Ａ〜２０Ｄとの双方を容器本体１０に収納させることで、かばん等に入れて持ち運ばれる。
【００４６】
この収納状態においては、図６（ａ）に示すように、第１化粧料収納皿２０Ａの円弧状溝２８に第２化粧料収納皿２０Ｂの係合突起２９が挿入され、第２化粧料収納皿２０Ｂの円弧状溝２８に第３化粧料収納皿２０Ｃの係合突起２９が挿入され、第３化粧料収納皿２０Ｃの円弧状溝２８に第４化粧料収納皿２０Ｄの係合突起２９が挿入され、第４化粧料収納皿２０Ｄの円弧状溝２８に第２壁部１４の係合突起１５が挿入されている。また、この収納状態においては、上述した収納時ロック機構（第１壁部１２及び第１化粧料収納皿２０Ａに設けられた磁石等）により、意図せず第１〜第４化粧料収納皿２０Ａ〜２０Ｄが展開されないようになっている。
【００４７】
［展開動作］
その後、必要に応じた任意のタイミングで、図１に示すように、第１支持軸１６Ａに取り付けられた第１〜第４化粧料収納皿２０Ａ〜２０Ｄと第２支持軸１６Ｂに取り付けられた第１〜第４化粧料収納皿２０Ａ〜２０Ｄとの双方又はいずれか一方を容器本体１０から引き出して展開させ、化粧直し等を行う。
【００４８】
この場合における第１〜第４化粧料収納皿２０Ａ〜２０Ｄの展開動作は、第１化粧料収納皿２０Ａの摘み部２３を把持して該第１化粧料収納皿２０Ａのみを回動させることで行われる。具体的には、図６（ａ）に示す収納状態から第１化粧料収納皿２０Ａを展開方向に向けて回動させることで、図６（ｂ）に示すように、第１化粧料収納皿２０Ａの円弧状溝２８の収納方向側の壁部２８ａ（展開時当接部）に第２化粧料収納皿２０Ｂの係合突起２９が係合し、図６（ｃ）に示すように、そのまま第１化粧料収納皿２０Ａを展開方向に向けてさらに回動させることで、第２化粧料収納皿２０Ｂが第１化粧料収納皿２０Ａに引っ張られて展開方向へ回動する。
【００４９】
そして、この従動的に回動する第２化粧料収納皿２０Ｂの円弧状溝２８の展開時当接部に第３化粧料収納皿２０Ｃの係合突起２９が係合し、図６（ｄ）に示すように、そのまま第１化粧料収納皿２０Ａを展開方向に向けてさらに回動させることで、第３化粧料収納皿２０Ｃが第２化粧料収納皿２０Ｂに引っ張られて展開方向へ回動する。さらに、同様に、この従動的に回動する第３化粧料収納皿２０Ｃの円弧状溝２８の展開時当接部に第４化粧料収納皿２０Ｄの係合突起２９が係合し、そのまま第１化粧料収納皿２０Ａを展開方向に向けてさらに回動させることで、第４化粧料収納皿２０Ｄが第３化粧料収納皿２０Ｃに引っ張られて展開方向へ回動する。
【００５０】
そして、この従動的に回動する第４化粧料収納皿２０Ｄの円弧状溝２８の展開時当接部に第２壁部１４の係合突起１５が係合することで、第４化粧料収納皿２０Ｄの回動が停止され、これに伴って、第３化粧料収納皿２０Ｃ、第２化粧料収納皿２０Ｂ及び第１化粧料収納皿２０Ａの回動が停止される。また、この展開状態において、第１化粧料収納皿２０Ａの嵌合凹部２５に第１壁部１２の嵌合突起１３が嵌まり込み、第１〜第４化粧料収納皿２０Ａ〜２０Ｄの展開状態が維持される。このように第１〜第４化粧料収納皿２０Ａ〜２０Ｄが支持軸１６Ａ，１６Ｂを中心としてバタフライ状（扇状）に展開した状態において、化粧直し等の使用に供される。
【００５１】
［収納動作］
その後、第１〜第４化粧料収納皿２０Ａ〜２０Ｄを容器本体１０内に収納させる動作も、第１化粧料収納皿２０Ａの摘み部２３を把持して該第１化粧料収納皿２０Ａのみを回動させることで行われる。具体的には、展開位置にある第１化粧料収納皿２０Ａを収納方向に向けて回動させることで、第１化粧料収納皿２０Ａの円弧状溝２８の展開方向側の壁部２８ｂ（収納時当接部）に第２化粧料収納皿２０Ｂの係合突起２９が係合し、そのまま第１化粧料収納皿２０Ａを収納方向に向けてさらに回動させることで、第２化粧料収納皿２０Ｂが第１化粧料収納皿２０Ａに引っ張られて収納方向へ回動する。そして、更に第１化粧料収納皿２０Ａを収納方向に向けて回動させることで、同様に、第３化粧料収納皿２０Ｃが第２化粧料収納皿２０Ｂに引っ張られて収納方向へ回動し、その後、第４化粧料収納皿２０Ｄが第３化粧料収納皿２０Ｃに引っ張られて収納方向へ回動する。
【００５２】
そして、この従動的に回動する第４化粧料収納皿２０Ｄの円弧状溝２８の収納時当接部に第２壁部１４の係合突起１５が係合することで、第４化粧料収納皿２０Ｄの回動が停止され、これに伴って、第３化粧料収納皿２０Ｃ、第２化粧料収納皿２０Ｂ及び第１化粧料収納皿２０Ａの回動が停止される。これにより、上述した収納状態となり、かばん等に入れて持ち運ぶことが可能となる。
【００５３】
以上説明したとおり、第１実施形態に係る化粧料用容器１は、複数の化粧料収納皿２０Ａ〜２０Ｄのうち、第１壁部１２に隣接して配置される第１化粧料収納皿２０Ａの下面（第２壁部１４側の面）に円弧状溝２８が形成され、第１化粧料収納皿２０Ａよりも第２壁部１４側に配置される第２〜第４化粧料収納皿２０Ｂ〜２０Ｄの下面（第２壁部１４側の面）に円弧状溝２８が形成されると共に、その上面（第１壁部１２側の面）に係合突起２９が設けられ、さらに、第２壁部１４に係合突起１５が設けられている。
【００５４】
このような構成を備える化粧料用容器１によれば、第１化粧料収納皿２０Ａを回動させるだけで、支持軸１６Ａ，１６Ｂを中心として全ての化粧料収納皿２０Ａ〜２０Ｄをバタフライ状（扇状）に展開させたり、互いに重ね合わせた状態で容器本体１０内に収納させたりすることが可能となるため、特許文献１の化粧料用容器のような各化粧料収納皿が独立して回動するものと比較して、操作性に優れている。また、第１実施形態に係る化粧料用容器１によれば、展開動作中、展開状態における使用中、収納動作中及び携帯中のいずれにおいても、各化粧料収納皿２０Ａ〜２０Ｄの上面や下面に触れる必要がないため、化粧料が手に付着する等の煩わしさが無く、この点においても操作性に優れている。さらに、第１実施形態に係る化粧料用容器１は、全ての化粧料収納皿２０Ａ〜２０Ｄを容器本体１０内に収納させることによりかばん等に入れて持ち運ぶことが可能となるため、携帯性にも優れている。またさらに、第１実施形態に係る化粧料用容器１は、全ての化粧料収納皿２０Ａ〜２０Ｄをバタフライ状（扇状）に展開させるものであるため、遊び性及び意匠性にも優れている。
【００５５】
特に、第１実施形態に係る化粧料用容器１は、第１化粧料収納皿２０Ａが展開位置に位置する状態において、該第１化粧料収納皿２０Ａの収納方向への回動に対して抵抗を与える展開時ロック機構を備えている。このような化粧料用容器１によれば、第１化粧料収納皿２０Ａを展開位置においてロックするだけで全ての化粧料収納皿２０Ａ〜２０Ｄの展開状態を維持し、意図せず各化粧料収納皿２０Ａ〜２０Ｄが収納方向へ回動して収納されたり、隣接する化粧料収納皿同士が重なったりする事態を抑制することが可能となるため、より操作性に優れた化粧料用容器とすることができる。
【００５６】
また、第１実施形態に係る化粧料用容器１は、このような展開時ロック機構を、第１壁部１２に設けられた嵌合突起１３と、第１化粧料収納皿２０Ａに形成された嵌合凹部２５との凹凸嵌合構造より実現しているため、構造を簡素化することが可能となり、製造コストを抑えることが可能となる。
【００５７】
さらに、第１実施形態に係る化粧料用容器１は、第１化粧料収納皿２０Ａが収納位置に位置する状態において、該第１化粧料収納皿２０Ａの展開方向への回動に対して抵抗を与える収納時ロック機構を備えている。このような化粧料用容器１によれば、第１化粧料収納皿２０Ａを収納位置においてロックするだけで全ての化粧料収納皿２０Ａ〜２０Ｄの収納状態を維持し、意図せず各化粧料収納皿２０Ａ〜２０Ｄが展開方向へ回動する事態を抑制することが可能となるため、より携帯性に優れた化粧料用容器とすることができる。
【００５８】
また、第１実施形態に係る化粧料用容器１は、容器本体１０が長手方向を有する長尺状、より具体的にはペン型に形成されているため、究極的にコンパクトで持ち運び易く、使用時においても手にフィットし易いという利点を有している。
【００５９】
さらに、第１実施形態に係る化粧料用容器１は、複数の化粧料収納皿２０Ａ〜２０Ｄが第１支持軸１６Ａ及び第２支持軸１６Ｂの双方に設けられているため、１本の支持軸にのみ化粧料収納皿２０Ａ〜２０Ｄが設けられる場合と比較して、容器本体１０の厚さを維持しつつ化粧料収納皿２０Ａ〜２０Ｄの枚数を２倍にすることが可能となり、これにより、１つの化粧料用容器１に収容させる化粧料２の数や種類を２倍にすることが可能となる。特に、第１実施形態に係る化粧料用容器１は、容器本体１０の長手方向の一方側及び他方側に支持軸１６Ａ，１６Ｂを設け、２組の化粧料収納皿２０Ａ〜２０Ｄを容器本体１０の長手方向に沿って一列に並べる構成としたことにより、化粧料収納皿２０Ａ〜２０Ｄの枚数を増やしつつ、上述したペン型の化粧料用容器１とすることが可能となる。
【００６０】
［第２実施形態］
次に、本発明の第２実施形態に係る化粧料用容器１´について、図７を用いて説明する。なお、第２実施形態に係る化粧料用容器１´において、第１壁部１２以外の構成については、第１実施形態に係る化粧料用容器１と同一の構成を採用可能であるため、共通する構成に関する説明は省略する。
【００６１】
第２実施形態に係る化粧料用容器１´の第１壁部１２´は、図７に示すように、化粧料塗布具３０Ａ，３０Ｂを収納可能な塗布具収納凹部３２と、該塗布具収納凹部３２を覆う開閉可能な蓋部材３４とを備えている。
【００６２】
塗布具収納凹部３２は、第１壁部１２´の外縁全域から上方に向けて延出したフランジ３３により囲まれた凹部領域であり、化粧料塗布具３０Ａ，３０Ｂを収納可能な形状及び大きさを有している。塗布具収納凹部３２に収納される化粧料塗布具３０Ａ，３０Ｂは、例えば、パフ、スポンジ、ブラシ、チップ等の化粧具が例示されるが、これらに限定されるものではない。
【００６３】
蓋部材３４は、ヒンジ部３６を介してフランジ３３に取り付けられており、該ヒンジ部３６によって、塗布具収納凹部３２を閉塞した閉じ状態と、塗布具収納凹部３２を開放した開き状態との間において開閉自在に構成されている。蓋部材３４は、その内面（塗布具収納凹部３２側の面）の略全域に、鏡面３８を有している。蓋部材３４及びフランジ３３には、互いに磁力により接着する磁石（図示せず）が設けられており、閉じ状態において容易に開かないよう構成されている。なお、フランジ３３に対する蓋部材３４の固定は、磁石に限定されるものではなく、例えば嵌合突起及び嵌合凹部からなる凹凸嵌合構造や、がま口の口金構造や、フック構造等の任意の構造を採用可能である。
【００６４】
以上の構成を備える第２実施形態に係る化粧料用容器１´においても、第１実施形態に係る化粧料用容器１と同様に、携帯性及び操作性に優れている。また、第２実施形態に係る化粧料用容器１´は、塗布具収納凹部３２及び蓋部材３４を備えることにより、第１実施形態に係る化粧料用容器１と同等の収容力（化粧料収納皿２０Ａ〜２０Ｄの枚数）を維持しつつ、化粧料塗布具３０Ａ，３０Ｂも一緒に携帯することが可能となるため、更に優れた携帯性及び操作性を有する。さらに、第２実施形態に係る化粧料用容器１´は、蓋部材３４に設けられた鏡面３８を用いて化粧直し等を行うことが可能となるため、操作性に更に優れると共に、鏡を別途持ち運ぶ必要がなくなるため、携帯性にも更に優れている。
【００６５】
［第３実施形態］
次に、本発明の第３実施形態に係る化粧料用容器１´´について、図８を用いて説明する。第３実施形態に係る化粧料用容器１´´は、第２支持軸１６Ｂに鏡部材４０及び塗布具保持部材４２が軸支されている点を除き、第１実施形態に係る化粧料用容器１と同一の構成を採用可能であるため、共通する構成に関する説明は省略する。なお、図８は、化粧料用容器１´´を背面方向から見た状態の図であり、図中左側に位置する支持軸が第１支持軸１６Ａであり、図中右側の支持軸が第２支持軸１６Ｂである。
【００６６】
第３実施形態に係る化粧料用容器１´´の第１支持軸１６Ａには、第１実施形態に係る化粧料用容器１の第１支持軸１６Ａと同様に、複数の化粧料収納皿２０Ａ〜２０Ｄが軸支されている。一方、第２支持軸１６Ｂには、第１実施形態に係る化粧料用容器１の第２支持軸１６Ｂとは異なり、鏡部材４０及び塗布具保持部材４２が軸支されている。
【００６７】
鏡部材４０は、図８に示すように、各化粧料収納皿２０Ａ〜２０Ｄと概ね同形同大の樹脂製の板材からなり、一端部に第２支持軸１６Ｂが挿通される軸孔（図示せず）を有すると共に、その上面（第１壁部１２側の面）の略全域に鏡面４１を有している。鏡部材４０は、鏡面４１が容器本体１０の第２収納空間内に収納された収納位置と、該第２収納空間から側方開口を介して引き出され、鏡面４１が露出された展開位置との間において回動可能となるよう、第２支持軸１６Ｂに軸支されている。
【００６８】
塗布具保持部材４２は、一端部に、第２支持軸１６Ｂが挿通される軸孔（図示せず）を有し、他端部に、化粧料塗布具３０を着脱自在に保持可能な保持凹部４３を有している。保持凹部４３に収納される化粧料塗布具３０は、例えば、パフ、スポンジ、ブラシ、チップ等の化粧具が例示されるが、これらに限定されるものではない。塗布具保持部材４２は、化粧料塗布具３０が容器本体１０の第２収納空間内に収納された収納位置と、該第２収納空間から側方開口を介して化粧料塗布具３０が引き出された展開位置との間において回動可能となるよう、第２支持軸１６Ｂに軸支されている。この塗布具保持部材４２は、鏡部材４０と独立して回動可能に構成されている。
【００６９】
以上の構成を備える第３実施形態に係る化粧料用容器１´´においても、第１実施形態に係る化粧料用容器１と同様に、携帯性及び操作性に優れている。また、第３実施形態に係る化粧料用容器１´´は、塗布具保持部材４２を備えることにより、第１実施形態に係る化粧料用容器１と同等のコンパクト性（容器本体１０のサイズ）を維持しつつ、化粧料塗布具３０も一緒に携帯することが可能となるため、更に優れた携帯性及び操作性を有する。さらに、第３実施形態に係る化粧料用容器１´´は、鏡部材４０に設けられた鏡面４１を用いて化粧直し等を行うことが可能となるため、操作性に更に優れると共に、鏡を別途持ち運ぶ必要がなくなるため、携帯性にも更に優れている。
【００７０】
以上、本発明の好適な実施形態として第１〜第３実施形態を例示して説明したが、本発明の技術的範囲は、上述した実施形態に記載の範囲には限定されない。上記各実施形態には、多様な変更又は改良を加えることが可能である。
【００７１】
例えば、上述した第１〜第３実施形態では、第１化粧料収納皿２０Ａの収納方向への回動に対して抵抗を与える展開時ロック機構と、第１化粧料収納皿２０Ａの展開方向への回動に対して抵抗を与える収納時ロック機構とを備えるものとして説明したが、これに限定されず、展開時ロック機構及び収納時ロック機構の一方のみを備える構成としても良いし、これら展開時ロック機構及び収納時ロック機構の双方を備えない構成としても良い。
【００７２】
また、上述した第１〜第３実施形態では、容器本体１０が長手方向を有する長尺状に形成されるものとして説明したが、これに限定されず、容器本体１０の形状は任意に変更可能である。
【００７３】
さらに、上述した第１〜第３実施形態では、支持軸１６Ａ，１６Ｂが２本設けられ、これら２本の支持軸１６Ａ，１６Ｂの双方又は一方に複数の化粧料収納皿２０Ａ〜２０Ｄが軸支されるものとして説明したが、これに限定されず、支持軸が１本のみ設けられる構成としても良いし、支持軸が３本以上設けられる構成としても良い。また、支持軸の位置も、任意に変更可能である。さらに、上述した第１〜第３実施形態では、支持軸１６Ａ，１６Ｂに軸支される化粧料収納皿の枚数が４枚であるものとして説明したが、これに限定されず、化粧料収納皿の枚数は任意に変更可能である。
【００７４】
またさらに、上述した第１〜第３実施形態では、第１化粧料収納皿２０Ａを手動で回動させるものとして説明したが、これに限定されず、例えば容器本体１０の内部にばね等の付勢手段を設け、ロックボタン等の操作により複数の化粧料収納皿が自動的に飛び出す構造としても良い。また、上述した第１〜第３実施形態では、第１化粧料収納皿２０Ａを手動で回動させて第２〜第４化粧料収納皿２０Ｂ〜２０Ｄを第１化粧料収納皿２０Ａに従動させるものとして説明したが、これに限定されず、例えば第４化粧料収納皿２０Ｄを手動で回動させて第１〜第３化粧料収納皿２０Ａ〜２０Ｃを第４化粧料収納皿２０Ｄに従動させる構成としても良い。
【００７５】
また、上述した第１〜第３実施形態では、容器本体１０が側壁１７Ａ，１７Ｂ及び仕切り壁１８を備えるものとして説明したが、これに限定されず、これら側壁１７Ａ，１７Ｂ及び仕切り壁１８の一方又は双方を備えない構成としても良い。これら側壁１７Ａ，１７Ｂ及び仕切り壁１８を備えない容器本体においても、第１壁部１２及び第２壁部１４間の空間が、複数の化粧料収納皿２０Ａ〜２０Ｄ等の部材を出し入れ自在に収納可能な収納空間となる。
【００７６】
さらに、上述した第１〜第３実施形態では、第１壁部１２に嵌合突起１３が設けられ、第１化粧料収納皿２０Ａに嵌合凹部２５が設けられるものとして説明したが、これに限定されず、第１壁部１２に嵌合凹部２５が設けられ、第１化粧料収納皿２０Ａに嵌合突起１３が設けられる構成としても良い。
【００７７】
上記のような変形例が本発明の範囲に含まれることは、特許請求の範囲の記載から明らかである。
【符号の説明】
【００７８】
１，１´，１´´  ：化粧料用容器
２  ：化粧料
１０  ：容器本体
１２，１２´  ：第１壁部
１３  ：嵌合突起
１４  ：第２壁部
１５  ：係合突起
１６Ａ  ：第１支持軸
１６Ｂ  ：第２支持軸
１７Ａ  ：第１側壁
１７Ｂ  ：第２側壁
１８  ：仕切り壁
２０Ａ  ：第１化粧料収納皿
２０Ｂ  ：第２化粧料収納皿
２０Ｃ  ：第３化粧料収納皿
２０Ｄ  ：第４化粧料収納皿
２２  ：軸孔
２３  ：摘み部
２４  ：化粧料収容部
２５  ：嵌合凹部
２６  ：案内溝
２７  ：磁石
２８  ：円弧状溝
２８ａ  ：円弧状溝の収納方向側の壁部（展開時当接部）
２８ｂ  ：円弧状溝の展開方向側の壁部（収納時当接部）
２９  ：係合突起
３０，３０Ａ，３０Ｂ  ：化粧料塗布具
３２  ：塗布具収納凹部
３３  ：フランジ
３４  ：蓋部材
３６  ：ヒンジ部
３８  ：鏡面
４０  ：鏡部材
４１  ：鏡面
４２  ：塗布具保持部材
４３  ：保持凹部
【図１】
2020182650.tif 000003
【図２】
2020182650.tif 000004
【図３】
2020182650.tif 000005
【図４】
2020182650.tif 000006
【図５】
2020182650.tif 000007
【図６】
2020182650.tif 000008
【図７】
2020182650.tif 000009
【図８】
2020182650.tif 000010